(57)【特許請求の範囲】
【請求項１】
天井に埋め込んで設置されたケース本体の内部に、室内熱交換器と、ドレンパンと、送風機駆動用モータと、送風機と、導風板とを備えた空調用室内ユニットであって、
前記ドレンパンを板厚方向に貫通する貫通穴が設けられており、この貫通穴には、透明部材が嵌め込まれているとともに、
前記貫通穴および前記透明部材の直上で、かつ、ドレンの最高水位よりも上方に、平板状の反射板が、その上面および下面が水平面と略平行になるように設けられており、
前記反射板の下面に、汚れの状態を定量化する定量化手段を備えていることを特徴とする空調用室内ユニット。
【請求項２】
天井に埋め込んで設置されたケース本体の内部に、室内熱交換器と、ドレンパンと、送風機駆動用モータと、送風機と、導風板とを備えた空調用室内ユニットであって、
前記ドレンパンを板厚方向に貫通する貫通穴が設けられており、この貫通穴には、透明部材が嵌め込まれているとともに、
前記貫通穴および前記透明部材の直上で、かつ、ドレンの最高水位よりも上方に、円柱状または角柱状の反射部材が、両端面が水平面と略平行になるように設けられていることを特徴とする空調用室内ユニット。
【請求項３】
天井に埋め込んで設置されたケース本体の内部に、室内熱交換器と、ドレンパンと、送風機駆動用モータと、送風機と、導風板とを備えた空調用室内ユニットであって、
前記ドレンパンを板厚方向に貫通する貫通穴が設けられており、この貫通穴には、透明部材が嵌め込まれているとともに、
前記貫通穴および前記透明部材の直上で、かつ、ドレンの最高水位よりも上方に、円錐台状または角錐台状の反射部材が、下方に小径側の端面が位置し、上方に大径側の端面が位置し、これら端面が水平面と略平行になるように設けられていることを特徴とする空調用室内ユニット。
【請求項４】
前記反射部材の側面に、汚れの状態を定量化する定量化手段を備えていることを特徴とする請求項２または３に記載の空調用室内ユニット。
【請求項５】
天井に埋め込んで設置されたケース本体の内部に、室内熱交換器と、ドレンパンと、ドレンポンプと、送風機駆動用モータと、送風機と、導風板とを備えた空調用室内ユニットであって、
前記ドレンパンを板厚方向に貫通する貫通穴が設けられており、この貫通穴には、透明部材が嵌め込まれているとともに、これら貫通穴および前記透明部材の直上に、前記ドレンポンプが配置されており、該ドレンポンプの吸込部の側面が反射体となっていることを特徴とする空調用室内ユニット。
【請求項６】
前記反射板の下面、または前記反射部材の側面を照らす少なくとも一つの光源が設けられていることを特徴とする請求項１から５のいずれか一項に記載の空調用室内ユニット。
【請求項７】
天井に埋め込んで設置されたケース本体の内部に、室内熱交換器と、ドレンパンと、送風機駆動用モータと、送風機と、導風板とを備えた空調用室内ユニットであって、
前記ドレンパンを板厚方向に貫通する貫通穴が設けられており、この貫通穴の内側の周縁部に、上方に向かって延びるとともに、その上端がドレンの最高水位よりも上方に位置する堰が設けられているとともに、前記貫通穴および前記堰の内側には、その外周面が前記貫通穴の内周面および／または前記堰の内周面と当接する栓部材が、着脱可能に取り付けられていることを特徴とする空調用室内ユニット。
【請求項８】
前記栓部材の頂面には、水平方向に略平行な回動軸を有するヒンジが支持部材を介して取り付けられており、前記ヒンジには、棒状部材の基端部が取り付けられているとともに、前記栓部材の中央部には、貫通穴が設けられており、この貫通穴内には、その一端部が前記ヒンジに接続されて、その他端部を下方に引っ張ることで前記棒状部材の先端部を上方に向かって回動させ、その他端部を上方に押し上げることで前記棒状部材の先端部を下方に向かって回動させるワイヤ部材が収容されていることを特徴とする請求項７に記載の空調用室内ユニット。
【請求項９】
請求項１から８のいずれか一項に記載の空調用室内ユニットと、
冷媒を圧縮するための圧縮機、および冷媒と室外の空気との熱交換を行わせるための室外熱交換器を有する空調用室外ユニットと、
前記空調用室内ユニットおよび前記空調用室外ユニットを連結するとともに、冷媒をこれら空調用室内ユニットおよび空調用室外ユニットの間で循環させるための冷媒配管と、を具備してなることを特徴とする天井設置型空気調和機。
【発明の詳細な説明】
【技術分野】
【０００１】
本発明は、空調用室内ユニット、特に、天井設置型空気調和機に用いられる空調用室内ユニットに関するものである。
【背景技術】
【０００２】
天井設置型空気調和機に用いられる空調用室内ユニットとしては、例えば、特許文献１に開示されたものが知られている。
【特許文献１】特開２００７−２７１１７４号公報
【発明の開示】
【発明が解決しようとする課題】
【０００３】
さて、近年改正された『建築物における衛生的環境の確保に関する法律』（通称：ビル衛生管理法）によれば、天井設置型空気調和機に用いられる空調用室内ユニットのドレンパンの汚染状態を、月に１回チェックする必要がある。
【０００４】
しかしながら、上記特許文献に開示された発明では、ドレンパンの汚染状態をチェックするためにドレンパンを空調用室内ユニットのケース本体から取り外さなければならず、点検作業が煩雑で、点検作業に長時間を要してしまうといった問題点があった。
また、ドレンパンをケース本体から取り外す際に、ドレンパンに溜まっていたドレンが滴下して、空調用室内ユニットの下方（鉛直下方）に存する床面や机上等を汚染してしまうといった問題点もあった。
【０００５】
本発明は、上記の事情に鑑みてなされたもので、ドレンパンをケース本体から取り外すことなく、ドレンパンの汚染状態を容易、かつ、迅速に把握することができ、ドレンパンの清掃時期を的確に判断することができるとともに、点検作業時に、ドレンパンに溜まっていたドレンが、空調用室内ユニットの下方に滴下して、空調用室内ユニットの下方に存する床面や机上等を汚染してしまうことを防止することができる空調用室内ユニットを提供することを目的とする。
【課題を解決するための手段】
【０００６】
本発明は、上記課題を解決するため、以下の手段を採用した。
本発明に係る空調用室内ユニットは、天井に埋め込んで設置されたケース本体の内部に、室内熱交換器と、ドレンパンと、送風機駆動用モータと、送風機と、導風板とを備えた空調用室内ユニットであって、前記ドレンパンを板厚方向に貫通する貫通穴が設けられており、この貫通穴には、透明部材が嵌め込まれているとともに、前記貫通穴および前記透明部材の直上で、かつ、ドレンの最高水位よりも上方に、平板状の反射板が、その上面および下面が水平面と略平行になるように設けられており、前記反射板の下面に、汚れの状態を定量化する定量化手段を備えている。
【０００７】
本発明に係る空調用室内ユニットによれば、透明部材の内表面に付着した汚れを見るだけで、ドレンパンの内側の汚れの（付着）状態を容易、かつ、迅速に把握することができ、ドレンパンの清掃時期を的確に判断することができる。
また、ドレンパンの内側の汚染状態は、透明部材の内表面に付着した汚れを見るだけで把握することができるので、点検作業時に、空調用室内ユニットの下方（鉛直下方）に存する床面や机上等がドレンによって汚染されることを防止することができる。
また、本発明に係る空調用室内ユニットによれば、透明部材を介してドレンパンの内側に入った（入射した）光が、反射板の表面（下面）に到達して、この反射板によって透明部材の側に反射された後、透明部材を介してドレンパンの外側に出てくる（出射する）ようになっている。
すなわち、反射板によって反射された光線が、透明部材の内表面をより明るく照らすこととなるので、ドレンパンの内側の汚れの（付着）状態をより容易に、かつ、より迅速に把握することができ、ドレンパンの清掃時期をさらに的確に判断することができる。
さらに、本発明に係る空調用室内ユニットによれば、反射板の下面、または反射部材の側面に、設けられた定量化手段（例えば、数字）の見え方によってドレンパンの内側の汚れの（付着）状態を定量的に、あるいは一義的に把握することができ、透明部材を介してドレンパンの内側を覗く点検者（作業者）によって生じ得る判断の差を低減させることができる。
【０００８】
本発明に係る空調用室内ユニットは、天井に埋め込んで設置されたケース本体の内部に、室内熱交換器と、ドレンパンと、送風機駆動用モータと、送風機と、導風板とを備えた空調用室内ユニットであって、前記ドレンパンを板厚方向に貫通する貫通穴が設けられており、この貫通穴には、透明部材が嵌め込まれているとともに、前記貫通穴および前記透明部材の直上で、かつ、ドレンの最高水位よりも上方に、円柱状または角柱状の反射部材が、両端面が水平面と略平行になるように設けられている。
【０００９】
本発明に係る空調用室内ユニットによれば、透明部材の内表面に付着した汚れを見るだけで、ドレンパンの内側の汚れの（付着）状態を容易、かつ、迅速に把握することができ、ドレンパンの清掃時期を的確に判断することができる。
また、ドレンパンの内側の汚染状態は、透明部材の内表面に付着した汚れを見るだけで把握することができるので、点検作業時に、空調用室内ユニットの下方（鉛直下方）に存する床面や机上等がドレンによって汚染されることを防止することができる。
また、本発明に係る空調用室内ユニットによれば、透明部材を介してドレンパンの内側に入った（入射した）光が、反射部材の外周面（外表面：側面）に到達して、この反射部材によって透明部材の側に反射された後、透明部材を介してドレンパンの外側に出てくる（出射する）ようになっている。
すなわち、反射部材によって反射された光線が、透明部材の内表面をより明るく照らすこととなるので、ドレンパンの内側の汚れの（付着）状態をより容易に、かつ、より迅速に把握することができ、ドレンパンの清掃時期をさらに的確に判断することができる。
また、反射部材は鉛直方向に沿って奥行き有している（上下方向に延在している）ので、点検者（作業者）は、透明部材の直下（鉛直下方）から少し外れた（若干外れた）場所（位置）において点検することができるようになる。
【００１０】
本発明に係る空調用室内ユニットは、天井に埋め込んで設置されたケース本体の内部に、室内熱交換器と、ドレンパンと、送風機駆動用モータと、送風機と、導風板とを備えた空調用室内ユニットであって、前記ドレンパンを板厚方向に貫通する貫通穴が設けられており、この貫通穴には、透明部材が嵌め込まれているとともに、前記貫通穴および前記透明部材の直上で、かつ、ドレンの最高水位よりも上方に、円錐台状または角錐台状の反射部材が、下方に小径側の端面が位置し、上方に大径側の端面が位置し、これら端面が水平面と略平行になるように設けられている。
【００１１】
本発明に係る空調用室内ユニットによれば、透明部材の内表面に付着した汚れを見るだけで、ドレンパンの内側の汚れの（付着）状態を容易、かつ、迅速に把握することができ、ドレンパンの清掃時期を的確に判断することができる。
また、ドレンパンの内側の汚染状態は、透明部材の内表面に付着した汚れを見るだけで把握することができるので、点検作業時に、空調用室内ユニットの下方（鉛直下方）に存する床面や机上等がドレンによって汚染されることを防止することができる。
また、本発明に係る空調用室内ユニットによれば、透明部材を介してドレンパンの内側に入った（入射した）光が、反射部材の外周面（外表面：側面）に到達して、この反射部材によって透明部材の側に反射された後、透明部材を介してドレンパンの外側に出てくる（出射する）ようになっている。
すなわち、反射部材によって反射された光線が、透明部材の内表面をより明るく照らすこととなるので、ドレンパンの内側の汚れの（付着）状態をより容易に、かつ、より迅速に把握することができ、ドレンパンの清掃時期をさらに的確に判断することができる。
また、反射部材は鉛直方向に沿って奥行き有している（上下方向に延在している）とともに、奥側に向かって拡径しているので、点検者（作業者）は、透明部材の直下（鉛直下方）および直下から少し外れた（若干外れた）場所（位置）において点検することができるようになる。
【００１２】
上記空調用室内ユニットにおいて、前記反射部材の側面に、汚れの状態を定量化する定量化手段を備えているとさらに好適である。
【００１３】
このような空調用室内ユニットによれば、反射板の下面、または反射部材の側面に、設けられた定量化手段（例えば、数字）の見え方によってドレンパンの内側の汚れの（付着）状態を定量的に、あるいは一義的に把握することができ、透明部材を介してドレンパンの内側を覗く点検者（作業者）によって生じ得る判断の差を低減させることができる。
【００１４】
本発明に係る空調用室内ユニットは、天井に埋め込んで設置されたケース本体の内部に、室内熱交換器と、ドレンパンと、ドレンポンプと、送風機駆動用モータと、送風機と、導風板とを備えた空調用室内ユニットであって、前記ドレンパンを板厚方向に貫通する貫通穴が設けられており、この貫通穴には、透明部材が嵌め込まれているとともに、これら貫通穴および前記透明部材の直上に、前記ドレンポンプが配置されており、該ドレンポンプの吸込部の側面が反射体となっている。
【００１５】
本発明に係る空調用室内ユニットによれば、ドレンポンプの吸込部の側面を反射体として利用することができるので、反射板や反射部材等の別部材を不要とすることができ、部品点数を低減させることができて、製造コストの低減化を図ることができる。
【００１６】
上記空調用室内ユニットにおいて、前記反射板の下面、または前記反射部材の側面を照らす少なくとも一つの光源が設けられているとさらに好適である。
【００１７】
このような空調用室内ユニットによれば、反射板の下面、あるいは反射部材の側面が光源により明るく照らされることとなるので、透明部材を介してドレンパンの内側に入る（入射する）光に関係なく（室内の明るさ（照度）に関係なく）、すなわち、室内が暗くても透明部材を介してドレンパンの内側を覗くだけで、ドレンパンの内側の汚れの（付着）状態をより容易に、かつ、より迅速に把握することができ、ドレンパンの清掃時期をより的確に判断することができる。
【００１８】
本発明に係る空調用室内ユニットは、天井に埋め込んで設置されたケース本体の内部に、室内熱交換器と、ドレンパンと、送風機駆動用モータと、送風機と、導風板とを備えた空調用室内ユニットであって、前記ドレンパンを板厚方向に貫通する貫通穴が設けられており、この貫通穴の内側の周縁部に、上方に向かって延びるとともに、その上端がドレンの最高水位よりも上方に位置する堰が設けられているとともに、前記貫通穴および前記堰の内側には、その外周面が前記貫通穴の内周面および／または前記堰の内周面と当接する栓部材が、着脱可能に取り付けられている。
【００１９】
本発明に係る空調用室内ユニットによれば、点検時に、栓部材を取り外し、貫通穴からドレンパンの上面（底面）に向けてブラシ等を挿入して、そのブラシに付着した汚れを見るだけで、ドレンパンの内側の汚れの（付着）状態を容易、かつ、迅速に把握することができ、ドレンパンの清掃時期を的確に判断することができる。
また、ドレンパンに溜まったドレンは、堰によって堰き止められるようになっているので、点検作業時に、空調用室内ユニットの下方（鉛直下方）に存する床面や机上等がドレンによって汚染されることを防止することができる。
【００２０】
上記空調用室内ユニットにおいて、前記栓部材の頂面には、水平方向に略平行な回動軸を有するヒンジが支持部材を介して取り付けられており、前記ヒンジには、棒状部材の基端部が取り付けられているとともに、前記栓部材の中央部には、貫通穴が設けられており、この貫通穴内には、その一端部が前記ヒンジに接続されて、その他端部を下方に引っ張ることで前記棒状部材の先端部を上方に向かって回動させ、その他端部を上方に押し上げることで前記棒状部材の先端部を下方に向かって回動させるワイヤ部材が収容されているとさらに好適である。
【００２１】
このような空調用室内ユニットによれば、点検時に、ワイヤ部材の他端部を下方に引っ張り、棒状部材の先端部を上方に向けた状態で栓部材をドレンパンから取り外し、棒状部材の先端部に付着した汚れを見るだけで、ケース本体の内側の汚れの（付着）状態をより容易に、かつ、より迅速に把握することができ、ドレンパンの清掃時期をより的確に判断することができる。
【００２２】
本発明に係る天井設置型空気調和機は、ドレンパンをケース本体から取り外すことなく、ドレンパンの汚染状態を容易、かつ、迅速に把握することができ、ドレンパンの清掃時期を的確に判断することができるとともに、点検作業時に、ドレンパンに溜まっていたドレンが、空調用室内ユニットの下方に滴下して、空調用室内ユニットの下方に存する床面や机上等を汚染してしまうことを防止することができる空調用室内ユニットを備えている。
【００２３】
本発明に係る天井設置型空気調和機によれば、『建築物における衛生的環境の確保に関する法律』に定められた空調用室内ユニットのドレンパンの点検作業を、容易、かつ、迅速に行うことができる。
【発明の効果】
【００２４】
本発明に係る空調用室内ユニットによれば、ドレンパンをケース本体から取り外すことなく、ドレンパンの汚染状態を容易、かつ、迅速に把握することができ、ドレンパンの清掃時期を的確に判断することができるとともに、点検作業時に、ドレンパンに溜まっていたドレンが、空調用室内ユニットの下方に滴下して、空調用室内ユニットの下方に存する床面や机上等を汚染してしまうことを防止することができるという効果を奏する。
【発明を実施するための最良の形態】
【００２５】
以下、本発明に係る空調用室内ユニットの第１参考実施形態について、図１および図２を参照しながら説明する。
図１は本実施形態に係る空調用室内ユニットの概略構成図であり、図２は図１の要部を拡大した縦断面図である。
【００２６】
空調用室内ユニット１０は、図示しない空調用室外ユニットおよび冷媒配管とともに天井設置型空気調和機を構成している。
空調用室外ユニットは、冷媒を圧縮するための圧縮機、冷媒と室外の空気との熱交換を行わせるための室外熱交換器、および室外ファンを有するものである。
また、冷媒配管は、空調用室内ユニット１０および空調用室外ユニットを連結するとともに、冷媒をこれら空調用室内ユニットおよび空調用室外ユニットの間で循環させるためのものである。
【００２７】
図１に示すように、空調用室内ユニット１０は、天井（図示せず）に埋め込んで設置されたケース本体１１の内部に、室内熱交換器１２と、ドレンパン１３と、送風機駆動用モータ（図示せず）と、送風機１４と、導風板１５とを備えたものである。また、ケース本体１１の下部には、図示しない天井パネルが装着されている。そして、この天井パネルの中央部には吸込口が形成されており、この吸込口に隣接するその外側には吹出口が形成されている。
【００２８】
天井埋込型空気調和機の運転時には、室外ユニットからの冷媒が室内熱交換器１２を循環し、送風機駆動用モータによって送風機１４が駆動される（回転させられる）。すると、室内の室内空気が吸込口から吸込口に取り付けられた吸込グリルおよびフィルタを通って、導風板１５に案内されて送風機１４に吸入されて付勢される。そして、室内熱交換器１２を流過する過程で冷却または過熱されることにより調和空気となって吹出口から室内に吹き出される。
【００２９】
また、天井埋込型空気調和機の冷房運転時に、室内空気が室内熱交換器１２によって冷却されると、室内空気中の水分が室内熱交換器１２の表面に凝縮液化してドレンとなってドレンパン１３内に滴下する。このドレンは、ドレンパン１３の一角部（一隅部）に形成されたドレン溜り１３ａ（図２参照）に集められ、ここからドレンポンプ１６により吸い上げられ、ドレン配管１７、ドレンソケット１８、および排水管（図示せず）を経て室外に排出される。
【００３０】
さて、本実施形態に係る空調用室内ユニット１０のドレンパン１３には、ドレン溜り１３ａを板厚方向に貫通するとともに、平面視円形状を呈する貫通穴１３ｂが設けられており、この貫通穴１３ｂには、平面視円形状を呈する透明部材（透明体）１９が嵌め込まれている。また、貫通穴１３ｂおよび透明部材１９の直上（鉛直上方）で、かつ、ドレンの最高水位Ｌよりも上方には、平面視正方形状（あるいは平面視円形状）を呈する反射板２０が設けられている。反射板２０は、例えば、白色の樹脂（例えば、ポリスチレン（ＰＳ）樹脂）からなる薄板状の部材である。
【００３１】
本実施形態に係る空調用室内ユニット１０によれば、透明部材１９を介してケース本体１１の内側（より詳しくは、ドレンパン１３の内側）に入った（入射した）光が、反射板２０の表面（下面）２０ａに到達して、この反射板２０によって透明部材１９の側に反射された後、透明部材１９を介してケース本体１１の外側（より詳しくは、ドレンパン１３の外側）に出てくる（出射する）ようになっている。このとき、図２の左側半分に示すように、透明部材１９の内表面（上面）１９ａに汚れ（例えば、緑膿菌（Pseudomonas）が代謝した寒天状の物質（スライム））２１がなく、きれいな状態であれば、反射板２０の表面２０ａを容易に、かつ、鮮明に視認することができ、図２の右側半分に示すように、透明部材１９の内表面（上面）１９ａに汚れ２１が付着して、汚れた状態になれば、その汚れ２１の度合い（程度）に応じて反射板２０の表面２０ａが見え難くなる、あるいは、視認できなくなる。
【００３２】
すなわち、透明部材１９を介してケース本体１１の内側（より詳しくは、ドレンパン１３の内側）を覗くだけで、ケース本体１１の内側の汚れの（付着）状態を容易、かつ、迅速に把握することができ、ドレンパン１３の清掃時期を的確に判断することができる。
また、ケース本体１１の内側の汚染状態は、透明部材１９を介してケース本体１１の内側を覗くだけで把握することができるので、点検作業時に、空調用室内ユニット１０の下方（鉛直下方）に存する床面や机上等がドレンによって汚染されることを防止することができる。
【００３３】
本発明に係る空調用室内ユニットの第１実施形態について、図３を参照しながら説明する。
本実施形態に係る空調用室内ユニット３０は、反射板２０の代わりに、反射板３１を備えているという点で上述した第１参考実施形態のものと異なる。その他の構成要素については上述した第１参考実施形態のものと同じであるので、ここではそれら構成要素についての説明は省略する。
【００３４】
図３に示すように、反射板３１の表面（下面）３１ａには、０，１，２，３の数字（定量化手段）が描かれており、汚れ２１の度合いに応じて反射板３１の表面３１ａに描かれた数字が、３，２，１，０の順に見え難くなる、あるいは、視認できなくなるようになっている。
【００３５】
本実施形態に係る空調用室内ユニット３０によれば、透明部材１９を介してケース本体１１の内側（より詳しくは、ドレンパン１３の内側）を覗くだけで、ケース本体１１の内側の汚れの（付着）状態を定量的に、あるいは一義的に把握することができ、透明部材１９を介してケース本体１１の内側を覗く点検者（作業者）によって生じ得る判断の差を低減させることができる。
その他の作用効果は、上述した第１参考実施形態のものと同じであるので、ここではその説明を省略する。
【００３６】
本発明に係る空調用室内ユニットの第２実施形態について、図４を参照しながら説明する。
本実施形態に係る空調用室内ユニット４０は、反射板２０，３１の代わりに、反射部材４１を備えているという点で上述した実施形態のものと異なる。その他の構成要素については上述した実施形態のものと同じであるので、ここではそれら構成要素についての説明は省略する。
【００３７】
図４に示すように、反射部材４１は、例えば、白色の樹脂（例えば、ポリスチレン（ＰＳ）樹脂）からなる中実（あるいは中空）円柱状（あるいは角柱状）の部材である。
【００３８】
本実施形態に係る空調用室内ユニット４０によれば、透明部材１９を介してケース本体１１の内側（より詳しくは、ドレンパン１３の内側）に入った（入射した）光が、反射部材４１の外周面（外表面：側面）４１ａに到達して、この反射部材４１によって透明部材１９の側に反射された後、透明部材１９を介してケース本体１１の外側（より詳しくは、ドレンパン１３の外側）に出てくる（出射する）ようになっている。このとき、図４の左側半分に示すように、透明部材１９の内表面（上面）１９ａに汚れ（例えば、緑膿菌（Pseudomonas）が代謝した寒天状の物質（スライム））２１がなく、きれいな状態であれば、反射部材４１の外周面４１ａを容易に、かつ、鮮明に視認することができ、図４の右側半分に示すように、透明部材１９の内表面（上面）１９ａに汚れ２１が付着して、汚れた状態になれば、その汚れ２１の度合い（程度）に応じて反射部材４１の外周面４１ａが見え難くなる、あるいは、視認できなくなる。
【００３９】
すなわち、透明部材１９を介してケース本体１１の内側（より詳しくは、ドレンパン１３の内側）を覗くだけで、ケース本体１１の内側の汚れの（付着）状態を容易、かつ、迅速に把握することができ、ドレンパン１３の清掃時期を的確に判断することができる。
また、ケース本体１１の内側の汚染状態は、透明部材１９を介してケース本体１１の内側を覗くだけで把握することができるので、点検作業時に、空調用室内ユニット４０の下方（鉛直下方）に存する床面や机上等がドレンによって汚染されることを防止することができる。
さらに、図４に示すように、反射部材４１は鉛直方向に沿って奥行き有している（上下方向に延在している）ので、点検者（作業者）は、透明部材１９の直下（鉛直下方）から少し外れた（若干外れた）場所（位置）において点検することができるようになる。
【００４０】
本発明に係る空調用室内ユニットの第３実施形態について、図５を参照しながら説明する。
本実施形態に係る空調用室内ユニット５０は、反射部材４１の代わりに、反射部材５１を備えているという点で上述した第２実施形態のものと異なる。その他の構成要素については上述した第２実施形態のものと同じであるので、ここではそれら構成要素についての説明は省略する。
【００４１】
図５に示すように、反射部材５１の外周面（外表面：側面）５１ａには、奥側から手前側にかけて（上部から下部に向かって）０，１，２，３の数字（定量化手段）が描かれており、汚れ２１の度合いに応じて反射部材５１の外周面５１ａに描かれた数字が、０，１，２，３の順に見え難くなる、あるいは、視認できなくなるようになっている。
【００４２】
本実施形態に係る空調用室内ユニット５０によれば、透明部材１９を介してケース本体１１の内側（より詳しくは、ドレンパン１３の内側）を覗くだけで、ケース本体１１の内側の汚れの（付着）状態を定量的に、あるいは一義的に把握することができ、透明部材１９を介してケース本体１１の内側を覗く点検者（作業者）によって生じ得る判断の差を低減させることができる。
その他の作用効果は、上述した第２実施形態のものと同じであるので、ここではその説明を省略する。
【００４３】
本発明に係る空調用室内ユニットの第４実施形態について、図６を参照しながら説明する。
本実施形態に係る空調用室内ユニット６０は、反射板２０，３１の代わりに、反射部材６１を備えているという点で上述した第１参考実施形態および第１実施形態のものと異なる。その他の構成要素については上述した第１参考実施形態および第１実施形態のものと同じであるので、ここではそれら構成要素についての説明は省略する。
【００４４】
図６に示すように、反射部材６１は、例えば、白色の樹脂（例えば、ポリスチレン（ＰＳ）樹脂）からなる中実（あるいは中空）円錐台状（あるいは角錐台状）の部材であり、下方に小径側の端面が位置し、上方に大径側の端面が位置するように（外周面（外表面：側面）６１ａが、下方から上方に向かって拡がるように）配置されている。
【００４５】
本実施形態に係る空調用室内ユニット６０によれば、透明部材１９を介してケース本体１１の内側（より詳しくは、ドレンパン１３の内側）に入った（入射した）光が、反射部材６１の外周面（外表面：側面）６１ａに到達して、この反射部材６１によって透明部材１９の側に反射された後、透明部材１９を介してケース本体１１の外側（より詳しくは、ドレンパン１３の外側）に出てくる（出射する）ようになっている。このとき、図６の左側半分に示すように、透明部材１９の内表面（上面）１９ａに汚れ（例えば、緑膿菌（Pseudomonas）が代謝した寒天状の物質（スライム））２１がなく、きれいな状態であれば、反射部材６１の外周面６１ａを容易に、かつ、鮮明に視認することができ、図６の右側半分に示すように、透明部材１９の内表面（上面）１９ａに汚れ２１が付着して、汚れた状態になれば、その汚れ２１の度合い（程度）に応じて反射部材６１の外周面６１ａが見え難くなる、あるいは、視認できなくなる。
【００４６】
すなわち、透明部材１９を介してケース本体１１の内側（より詳しくは、ドレンパン１３の内側）を覗くだけで、ケース本体１１の内側の汚れの（付着）状態を容易、かつ、迅速に把握することができ、ドレンパン１３の清掃時期を的確に判断することができる。
また、ケース本体１１の内側の汚染状態は、透明部材１９を介してケース本体１１の内側を覗くだけで把握することができるので、点検作業時に、空調用室内ユニット６０の下方（鉛直下方）に存する床面や机上等がドレンによって汚染されることを防止することができる。
さらに、図６に示すように、反射部材６１は鉛直方向に沿って奥行き有している（上下方向に延在している）とともに、奥側に向かって拡径しているので、点検者（作業者）は、透明部材１９の直下（鉛直下方）および直下から少し外れた（若干外れた）場所（位置）において点検することができるようになる。
【００４７】
本発明に係る空調用室内ユニットの第５実施形態について、図７を参照しながら説明する。
本実施形態に係る空調用室内ユニット７０は、反射部材６１の代わりに、反射部材７１を備えているという点で上述した第４実施形態のものと異なる。その他の構成要素については上述した第４実施形態のものと同じであるので、ここではそれら構成要素についての説明は省略する。
【００４８】
図７に示すように、反射部材７１の外周面（外表面：側面）７１ａには、奥側から手前側にかけて（上部から下部に向かって）０，１，２，３の数字（定量化手段）が描かれており、汚れ２１の度合いに応じて反射部材７１の外周面７１ａに描かれた数字が、０，１，２，３の順に見え難くなる、あるいは、視認できなくなるようになっている。
【００４９】
本実施形態に係る空調用室内ユニット７０によれば、透明部材１９を介してケース本体１１の内側（より詳しくは、ドレンパン１３の内側）を覗くだけで、ケース本体１１の内側の汚れの（付着）状態を定量的に、あるいは一義的に把握することができ、透明部材１９を介してケース本体１１の内側を覗く点検者（作業者）によって生じ得る判断の差を低減させることができる。
その他の作用効果は、上述した第４実施形態のものと同じであるので、ここではその説明を省略する。
【００５０】
本発明に係る空調用室内ユニットの第６実施形態について、図８を参照しながら説明する。
本実施形態に係る空調用室内ユニット８０は、上述した反射板２０，３１の表面（下面）２０ａ，３１ａ、あるいは反射部材４１，５１，６１，７１の外周面（外表面：側面）４１ａ，５１ａ，６１ａ，７１ａを明るく照らす（に一定の強度の光を照射する）少なくとも一つの光源８１を備えているという点で上述した実施形態のものと異なる。その他の構成要素については上述した実施形態のものと同じであるので、ここではそれら構成要素についての説明は省略する。
なお、図８は、第１参考実施形態のところで説明した反射板２０の表面２０ａを明るく照らす二つの光源８１を備えた一具体例を示している。
【００５１】
光源８１としては、例えば、発光ダイオード（ＬＥＤ）や豆電球等を挙げることができる。
【００５２】
本実施形態に係る空調用室内ユニット８０によれば、反射板２０，３１の表面（下面）２０ａ，３１ａ、あるいは反射部材４１，５１，６１，７１の外周面（外表面：側面）４１ａ，５１ａ，６１ａ，７１ａが光源８１により明るく照らされることとなるので、透明部材１９を介してケース本体１１の内側（より詳しくは、ドレンパン１３の内側）に入る（入射する）光に関係なく（室内の明るさ（照度）に関係なく）、すなわち、室内が暗くても透明部材１９を介してケース本体１１の内側を覗くだけで、ケース本体１１の内側の汚れの（付着）状態を容易、かつ、迅速に把握することができ、ドレンパン１３の清掃時期を的確に判断することができる。
その他の作用効果は、上述した実施形態のものと同じであるので、ここではその説明を省略する。
【００５３】
本発明に係る空調用室内ユニットの第７実施形態について、図９を参照しながら説明する。
本実施形態に係る空調用室内ユニット９０のドレンパン１３には、ドレンパン１３あるいはドレン溜り１３ａを板厚方向に貫通するとともに、平面視円形状を呈する貫通穴１３ｂが設けられており、貫通穴１３ｂの内側（上側）の周縁部には、上方に向かって延びるとともに、その上端がドレンの最高水位Ｌよりも上方に位置する堰９１が設けられている。
また、これら貫通穴１３ｂおよび堰９１の内側には、その外周面９２ａが貫通穴１３ｂの内周面および／または堰９１の内周面と当接する（あるいは密着する）栓部材（例えば、ゴム製の栓）９２が、着脱可能に取り付けられている。
【００５４】
栓部材９２の頂面には、水平方向に略平行な回動軸を有するヒンジ９３が支持部材９４を介して取り付けられており、ヒンジ９３には、断面視円形状を呈する棒状部材９５の基端部が取り付けられている。
また、栓部材９２の中央部には、図示しない貫通穴が設けられており、この貫通穴内には、その一端部がヒンジ９３に接続されて、その他端部を下方に引っ張ることで棒状部材９５の先端部を上方に向かって回動させ、その他端部を上方に押し上げることで棒状部材９５の先端部を下方に向かって回動させるワイヤ部材９６が収容されている。
なお、棒状部材９５は、図９に示す状態、すなわち、ワイヤ部材９６が最も上方に押し上げられた状態で、棒状部材９５の先端がドレン溜り１３ａの上面（底面）よりも少しだけ上方に位置するか、あるいはドレン溜り１３ａの上面（底面）と当接するような長さに設定されている。
【００５５】
本実施形態に係る空調用室内ユニット９０によれば、点検時に、ワイヤ部材９６の他端部を下方に引っ張り、棒状部材９５の先端部を上方に向けた状態で栓部材９２をドレンパン１３から取り外し、棒状部材９５の先端部に付着した汚れ２１を見るだけで、ケース本体１１の内側の汚れの（付着）状態を容易、かつ、迅速に把握することができ、ドレンパン１３の清掃時期を的確に判断することができる。
また、ドレンパン１３あるいはドレン溜り１３ａに溜まったドレンは、堰９１によって堰き止められるようになっているので、点検作業時に、空調用室内ユニット９０の下方（鉛直下方）に存する床面や机上等がドレンによって汚染されることを防止することができる。
【００５６】
なお、本発明は上述した実施形態に限定されるものではなく、本発明の技術的思想を逸脱しない範囲で、適宜必要に応じて変形実施、変更実施、組合せ実施することができる。
例えば、貫通穴１３ｂおよび透明部材１９の直上（鉛直上方）にドレンポンプ１６を配置して、上述した反射板２０，３１、反射部材４１，５１，６１，７１の代わりに、白色に塗られたドレンポンプ１６の吸込部１６ａ（図１参照）を利用することもできる。
【００５７】
また、第１実施形態、第３実施形態、および第５実施形態のところで説明した定量化手段は、数字に限定されるものではなく、記号、模様、グラデーション、色等、同様の機能を果たすものであればいかなるものであってもよい。
【図面の簡単な説明】
【００５８】
【図１】本発明の第１参考実施形態に係る空調用室内ユニットの概略構成図である。
【図２】図１の要部を拡大した縦断面図である。
【図３】本発明の第１実施形態に係る空調用室内ユニットの要部を拡大した平面図である。
【図４】本発明の第２実施形態に係る空調用室内ユニットの要部を拡大した縦断面図である。
【図５】本発明の第３実施形態に係る空調用室内ユニットの要部を拡大した平面図である。
【図６】本発明の第４実施形態に係る空調用室内ユニットの要部を拡大した縦断面図である。
【図７】本発明の第５実施形態に係る空調用室内ユニットの要部を拡大した平面図である。
【図８】本発明の第６実施形態に係る空調用室内ユニットの要部を拡大した縦断面図である。
【図９】本発明の第７実施形態に係る空調用室内ユニットの要部を拡大した縦断面図である。
【符号の説明】
【００５９】
１０    空調用室内ユニット
１１    ケース本体
１２    室内熱交換器
１３    ドレンパン
１３ｂ  貫通穴
１４    送風機
１５    導風板
１６    ドレンポンプ
１６ａ  吸込部
１９    透明部材
２０    反射板
３０    空調用室内ユニット
３１    反射板
３１ａ  表面（下面）
４０    空調用室内ユニット
４１    反射部材
５０    空調用室内ユニット
５１    反射部材
５１ａ  外周面（側面）
６０    空調用室内ユニット
６１    反射部材
７０    空調用室内ユニット
７１    反射部材
７１ａ  外周面（側面）
８０    空調用室内ユニット
８１    光源
９０    空調用室内ユニット
９１    堰
９２    栓部材
９２ａ  外周面
９３    ヒンジ
９４    支持部材
９５    棒状部材
９６    ワイヤ部材
Ｌ    最高水位
【図１】
0005463000.tif 000002
【図２】
0005463000.tif 000003
【図３】
0005463000.tif 000004
【図４】
0005463000.tif 000005
【図５】
0005463000.tif 000006
【図６】
0005463000.tif 000007
【図７】
0005463000.tif 000008
【図８】
0005463000.tif 000009
【図９】
0005463000.tif 000010